(57)【要約】【課題】電池残量の低下時に、予め取り込んでおいた画面の閲覧可能時間を引き延ばす。【解決手段】携帯端末１の画面取得部１２６は、液晶ディスプレイ等である主表示部１５に表示される画面を取り込んで画像データとしてキャプチャ画像保存用メモリ１２５に記憶させる。判断部１２２は、電池１８の残量が閾値以下であるか否かについて判断する。この判断結果が肯定的である場合に、画面生成部１２７は、キャプチャ画像保存用メモリ１２５に記憶される画像データを読み出して、この画像データに基づいて電源オフ時表示画面を表す画像データを生成する。表示制御部１２４は、画面生成部１２７により生成された画像データにより表される電源オフ時表示画面を、電子ペーパである副表示部１６に表示させる。【選択図】図２
2016158019.tif 000002
【特許請求の範囲】
【請求項１】
電池と、
給電なしで画面の表示を維持する表示部と、
前記表示部に表示される画面を取り込んで画像データとして記憶部に記憶させる画面取得部と、
前記電池の残量が閾値以下であるか否かを判断する判断部と、
前記判断部により前記電池の残量が閾値以下であると判断された場合に、前記記憶部に記憶される画像データに基づいて前記表示部に画面を表示させる表示制御部と
を備える携帯端末。
【請求項２】
電池と、
第１表示部と、
前記第１表示部よりも消費電力が少ない第２表示部と、
前記第１表示部に表示される画面を取り込んで画像データとして記憶部に記憶させる画面取得部と、
前記電池の残量が閾値以下であるか否かを判断する判断部と、
前記判断部により前記電池の残量が前記閾値以下であると判断された場合に、前記記憶部に記憶される画像データに基づいて前記第２表示部に画面を表示させる表示制御部と
を備える携帯端末。
【請求項３】
前記画面取得部により複数の画面が取り込まれて各々異なる複数の画像データとして前記記憶部に記憶された場合に、当該複数の画像データに基づいて１つの画面を示す画像データを生成する画面生成部をさらに備え、
前記表示制御部は、前記画面生成部により生成された画像データに基づいて前記画面を表示させる
ことを特徴とする請求項１又は２に記載の携帯端末。
【請求項４】
前記表示制御部は、前記記憶部に記憶される画像データに基づいて表示させる画面において、当該画像データが前記記憶部に記憶された日時と、当該画像データにより表される画面を表示させたアプリケーションの名称と、自端末の位置と、前記電池の残量のうちの少なくともいずれか１つを示す情報を表示させることを特徴とする請求項１又は２に記載の携帯端末。
【請求項５】
電池と、給電なしで画面の表示を維持する表示部と、記憶部とを備えるコンピュータを、
前記表示部に表示される画面を取り込んで画像データとして前記記憶部に記憶させる画面取得部と、
前記電池の残量が閾値以下であるか否かを判断する判断部と、
前記判断部により前記電池の残量が閾値以下であると判断された場合に、前記記憶部に記憶される画像データに基づいて前記表示部に画面を表示させる表示制御部
として機能させるためのプログラム。
【請求項６】
電池と、第１表示部と、前記第１表示部よりも消費電力が少ない第２表示部と、記憶部とを備えるコンピュータを、
前記第１表示部に表示される画面を取り込んで画像データとして前記記憶部に記憶させる画面取得部と、
前記電池の残量が閾値以下であるか否かを判断する判断部と、
前記判断部により前記電池の残量が前記閾値以下であると判断された場合に、前記記憶部に記憶される画像データに基づいて前記第２表示部に画面を表示させる表示制御部
として機能させるためのプログラム。
【発明の詳細な説明】
【技術分野】
【０００１】
本発明は、携帯端末に画面を表示させる技術に関する。
【背景技術】
【０００２】
スマートフォンに代表される携帯端末はバッテリーを用いて動作を行っている。近年の各デバイス（特に液晶ディスプレイ）の低消費電力化及びバッテリー性能の向上により携帯端末の駆動時間が比較的長時間化しているが、長期の外出など充電環境が十分に確保できない状況においてはバッテリー容量の不足に起因するトラブルが発生する場合がある。例えば、外出先で携帯端末が電池切れになった場合に、携帯端末に記憶されている電話番号等の必要な情報を取り出すことができなくなってしまうというトラブルが発生する場合がある。特許文献１では、このような不都合を解消するために、携帯端末の電池が切れることを判定した際に、ユーザによって予め登録された電話帳データ等の情報を電子ペーパに表示してから本体の電源を落とすという技術が提案されている。
【先行技術文献】
【特許文献】
【０００３】
【特許文献１】特開２００７−２０８６０１号公報
【発明の概要】
【発明が解決しようとする課題】
【０００４】
バッテリー容量の不足に起因する他のトラブルとして、表示中の画面の閲覧が中断されてしまうというものがある。例えば、外出先で目的地にたどり着くために地図アプリを用いて地図を表示している状況では、画面を常時表示させるとともにＧＰＳ受信機や通信モジュール等を同時に使用するため消費電力が多くなる。この状況で電池が切れてしまうと、それまで確認していた地図を閲覧することができなくなってしまう。しかもこの状況では、現在地を確認するために電話やメールを使って連絡を取ることもできない。
【０００５】
スマートフォン等では、バッテリー残量を画面で確認することができるようになっているが、アイコン表示の場合には詳細が判然とせず、パーセント表示の場合でも、あとどのくらいの時間、現在使用中の機能が引き続き使用できるのかはユーザには判断できない。そのため、突然電池が切れてしまうといった状況が発生することがある。
【０００６】
本発明は、このような事情に鑑みてなされたものであり、電池残量の低下時に、予め取り込んでおいた画面の閲覧可能時間を引き延ばすことを目的とする。
【課題を解決するための手段】
【０００７】
上記の課題を解決するため、本発明は、電池と、給電なしで画面の表示を維持する表示部と、前記表示部に表示される画面を取り込んで画像データとして記憶部に記憶させる画面取得部と、前記電池の残量が閾値以下であるか否かを判断する判断部と、前記判断部により前記電池の残量が閾値以下であると判断された場合に、前記記憶部に記憶される画像データに基づいて前記表示部に画面を表示させる表示制御部とを備える携帯端末を提供する。
【０００８】
また、本発明は、電池と、第１表示部と、前記第１表示部よりも消費電力が少ない第２表示部と、前記第１表示部に表示される画面を取り込んで画像データとして記憶部に記憶させる画面取得部と、前記電池の残量が閾値以下であるか否かを判断する判断部と、前記判断部により前記電池の残量が前記閾値以下であると判断された場合に、前記記憶部に記憶される画像データに基づいて前記第２表示部に画面を表示させる表示制御部とを備える携帯端末を提供する。
【０００９】
好ましい態様において、前記携帯端末は、前記画面取得部により複数の画面が取り込まれて各々異なる複数の画像データとして前記記憶部に記憶された場合に、当該複数の画像データに基づいて１つの画面を示す画像データを生成する画面生成部をさらに備え、前記表示制御部は、前記画面生成部により生成された画像データに基づいて前記画面を表示させてもよい。
【００１０】
別の好ましい態様において、前記表示制御部は、前記記憶部に記憶される画像データに基づいて表示させる画面において、当該画像データが前記記憶部に記憶された日時と、当該画像データにより表される画面を表示させたアプリケーションの名称と、自端末の位置と、前記電池の残量のうちの少なくともいずれか１つを示す情報を表示させてもよい。
【００１１】
また、本発明は、電池と、給電なしで画面の表示を維持する表示部と、記憶部とを備えるコンピュータを、前記表示部に表示される画面を取り込んで画像データとして前記記憶部に記憶させる画面取得部と、前記電池の残量が閾値以下であるか否かを判断する判断部と、前記判断部により前記電池の残量が閾値以下であると判断された場合に、前記記憶部に記憶される画像データに基づいて前記表示部に画面を表示させる表示制御部として機能させるためのプログラムを提供する。
【００１２】
また、本発明は、電池と、第１表示部と、前記第１表示部よりも消費電力が少ない第２表示部と、記憶部とを備えるコンピュータを、前記第１表示部に表示される画面を取り込んで画像データとして前記記憶部に記憶させる画面取得部と、前記電池の残量が閾値以下であるか否かを判断する判断部と、前記判断部により前記電池の残量が前記閾値以下であると判断された場合に、前記記憶部に記憶される画像データに基づいて前記第２表示部に画面を表示させる表示制御部として機能させるためのプログラムを提供する。
【発明の効果】
【００１３】
本発明によれば、電池残量の低下時に、予め取り込んでおいた画面の閲覧可能時間を引き延ばすことができる。
【図面の簡単な説明】
【００１４】
【図１】携帯端末１の外観の一例を示す図である。
【図２】携帯端末１の構成の一例を示すブロック図である。
【図３】携帯端末１に表示される画面の一例を示す図である。
【図４】携帯端末１で実行される表示制御を示すシーケンス図である。
【図５】携帯端末１に表示される画面の一例を示す図である。
【発明を実施するための形態】
【００１５】
１．実施形態
１−１．構成
図１は、本発明の一実施形態に係る携帯端末１の外観の一例を示す図である。図１（ａ）は携帯端末１の正面図であり、図１（ｂ）は携帯端末１の背面図である。この携帯端末１は、例えば、スマートフォンや、携帯電話機や、タブレット端末等の携帯型の電子機器である。携帯端末１は、略直方体形状の筺体１１を有し、筺体１１の正面には主表示部１５が配置され、筺体１１の背面には副表示部１６が配置される。
【００１６】
主表示部１５は、液晶ディスプレイや有機ＥＬ（Electro-luminescence）ディスプレイである。副表示部１６は、給電なしで画面の表示を維持可能な表示装置である。具体的には、電気泳動方式や電子粉粒体（登録商標）方式等の電子ペーパである。副表示部１６は、主表示部１５と比較して、画面表示中や画面書き換え時の消費電力が少ない。
【００１７】
図２は、携帯端末１の構成の一例を示すブロック図である。携帯端末１は、同図に示されるように、制御部１２と、記憶部１３と、操作部１４と、主表示部１５と、副表示部１６と、通信部１７と、電池１８とを備える。
【００１８】
制御部１２は、ＣＰＵ（Central Processing Unit）等の演算処理装置と、ＲＯＭ（Read Only Memory）と、ＲＡＭ（Random Access Memory）とを備える。ＣＰＵは、当該ＲＯＭや記憶部１３に記憶されるプログラムを実行することにより、携帯端末１の各部を制御する。制御部１２の機能構成については後述する。
【００１９】
記憶部１３は、フラッシュメモリやハードディスク等の記憶装置である。記憶部１３は、ＣＰＵに実行されるプログラムや各種データを記憶する。
【００２０】
操作部１４は、例えば、主表示部１５の表示面に重ねて配置されるタッチセンサである。操作部１４は、例えば静電容量方式や抵抗膜方式のタッチセンサである。
【００２１】
通信部１７は、データ通信カード等の通信インタフェースである。通信部１７は、通信回線を介した本端末と他の携帯端末との通信を制御する。
【００２２】
電池１８は、例えば二次電池である。
【００２３】
次に、制御部１２の機能構成について説明する。制御部１２のＣＰＵがプログラムを実行することにより、図２に示されるように、電池残量監視部１２１と、判断部１２２と、画像表示用メモリ１２３と、表示制御部１２４と、キャプチャ画像保存用メモリ１２５と、画面取得部１２６と、画面生成部１２７という機能が実現される。
【００２４】
電池残量監視部１２１は、電池１８の残量を算出する。具体的には、電池１８の電流値と電圧値とを検出して、これらの値と電池１８の電気特性とから電池残量を算出する。そして、算出した電池残量を示すデータを判断部１２２に対して出力する。電池残量監視部１２１はこれらの処理を定期的に実行する。
【００２５】
判断部１２２は、電池１８の電池残量が第１閾値以下であるか否かについて判断する。具体的には、判断部１２２は、電池残量監視部１２１から電池残量を示すデータを取得すると、電池残量が第１閾値以下であるか否かについて判断する。ここで、第１閾値とは、ユーザに対して電池残量が残り少ないことを警告するタイミングを判断するために参照される値である。また、第１閾値とは、ユーザに対して、電池切れの場合に備えて、スクリーンショットを保存することを促すタイミングを判断するために参照される値でもある。この第１閾値は、スクリーンショットを保存する十分な時間が確保できるように、例えばユーザにより設定される。上記の判断の結果、電池残量が第１閾値以下である場合には、判断部１２２は、警告メッセージの表示指示を表示制御部１２４に対して出力する。
【００２６】
また、判断部１２２は、電池１８の電池残量が第２閾値以下であるか否かについて判断する。具体的には、判断部１２２は、電池残量が第１閾値以下であると判断した後に、電池残量監視部１２１から電池残量を示すデータを取得すると、電池残量が第２閾値以下であるか否かについて判断する。ここで、第２閾値とは、上記の第１閾値よりも低い値であって、電源オフ時表示画面を生成して表示するタイミングを判断するために参照される値である。ここで、電源オフ時表示画面とは、電池１８が切れた後及び切れる直前に副表示部１６に表示される画面である。この画面の生成方法については後述する。上記の判断の結果、電池残量が第２閾値以下である場合には、判断部１２２は、電源オフ時表示画面の生成指示を画面生成部１２７に対して出力する。
【００２７】
画像表示用メモリ１２３は、主表示部１５又は副表示部１６に表示される画面を表す画像データが記憶される記憶装置である。画像表示用メモリ１２３は例えばＶＲＡＭ（Video RAM）である。
【００２８】
表示制御部１２４は、画像表示用メモリ１２３に記憶される画像データに基づいて主表示部１５や副表示部１６に画面を表示させる。また、表示制御部１２４は、判断部１２２から警告メッセージの表示指示を取得すると、ユーザに対して電池残量が残り少ないことを警告する警告メッセージを主表示部１５に表示させる。この警告メッセージは例えばダイアログボックスに入れられて、現在表示中の画面に重ねて表示される。あわせて表示制御部１２４は、表示中の画面をキャプチャするためのキャプチャボタンを主表示部１５に表示させる。このキャプチャボタンは、例えばカメラを模したアイコンにより表されるソフトウェアボタンであり、現在表示中の画面に重ねて表示される。なお、上記の警告メッセージには、ユーザに対して画面キャプチャを促すメッセージや、画面キャプチャが受け付け可能なおおよその制限時間が含まれてもよい。
【００２９】
キャプチャ画像保存用メモリ１２５は、主表示部１５に表示される画面のうち、画面取得部１２６により取り込まれた画面を表す画像データが記憶される記憶装置である。キャプチャ画像保存用メモリ１２５は例えばＲＡＭである。キャプチャ画像保存用メモリ１２５に記憶可能な画面の枚数は１以上の所定枚数に制限されてもよい。制限が課された場合、所定枚数を超える画面が取り込まれたときには、古い画面の方から破棄するようにしてもよい。なお、所定枚数は、副表示部１６の解像度に応じて自動的に決定されてもよいし、ユーザにより設定されてもよい。
【００３０】
画面取得部１２６は、主表示部１５に表示される画面を取り込んで画像データとしてキャプチャ画像保存用メモリ１２５に記憶する。具体的には、画像表示用メモリ１２３に記憶されている、主表示部１５に表示中の画面を表す画像データを読み出して、キャプチャ画像保存用メモリ１２５に記憶させる。言い換えると、スクリーンショット又は画面キャプチャを行う。画面取得部１２６はこの処理を、操作部１４からスクリーンショットの指示を取得したタイミングで実行する。言い換えると、操作部１４を介して上述のキャプチャボタンがユーザに選択されたタイミングで実行する。
【００３１】
また、画面生成部１２７は、判断部１２２から電源オフ時表示画面の生成指示を取得すると、キャプチャ画像保存用メモリ１２５に記憶される画像データに基づいて、副表示部１６に表示される１つの画面（電源オフ時表示画面）を表す画像データを生成する。この画面には、キャプチャ画像保存用メモリ１２５に記憶される画像データにより表される画面の一部又は全部と、当該画像データの属性情報とが表示される。ここで、属性情報とは、当該画像データがキャプチャ画像保存用メモリ１２５に記憶された日時と、当該画像データにより表される画面を表示させたアプリケーション（以下、「画像データに対応するアプリケーション」という。）の名称とを示す情報である。電源オフ時表示画面を表す画像データを生成すると画面生成部１２７は、生成した画像データを画像表示用メモリ１２３に記憶させる。
【００３２】
なお、画面生成部１２７は、キャプチャ画像保存用メモリ１２５に複数の画像データが記憶されている場合には、これら複数の画像データに基づいて、副表示部１６に表示される１つの画面（電源オフ時表示画面）を表す画像データを生成する。この際、画面生成部１２７は、複数の画像データにより表される各々の画面の解像度を副表示部１６の解像度に応じて変更して、１つの画面に整形する。図３は、この際に生成される画面の一例を示す図である。同図に示される画面は、４つの画面が１つの画面に整形された場合を示しており、同図に示される例では４つの画面に対してそれぞれ均等に表示領域が割り当てられている。また、各画面について属性情報が表示されている。電源オフ時表示画面を表す画像データを生成すると画面生成部１２７は、生成した画像データを画像表示用メモリ１２３に記憶させる。
【００３３】
１−２．動作
図４は、携帯端末１の動作を示すシーケンス図である。具体的には同図は、電池１８の残量が低下した場合に実行される表示制御を示している。なお、以下の動作において副表示部１６には、電源オフ時表示画面が表示されるまでの間、例えばカレンダー等の静止画が表示されていてもよい。
【００３４】
本動作のステップＳ１において、制御部１２の判断部１２２は、電池残量監視部１２１から電池残量を示すデータを取得すると、電池残量が第１閾値以下であるか否かについて判断する。この判断の結果、電池残量が第１閾値以下でない場合には（ステップＳ１；ＮＯ）、再度ステップＳ１を実行する。一方、この判断の結果、電池残量が第１閾値以下である場合には（ステップＳ１；ＹＥＳ）、判断部１２２は、警告メッセージの表示指示を表示制御部１２４に対して出力する（ステップＳ２）。
【００３５】
表示制御部１２４は、判断部１２２から警告メッセージの表示指示を取得すると、ユーザに対して電池残量が残り少ないことを警告する警告メッセージを主表示部１５に表示させる（ステップＳ３）。あわせて表示制御部１２４は、表示中の画面をキャプチャするためのキャプチャボタンを主表示部１５に表示させる。
【００３６】
主表示部１５に表示されたキャプチャボタンがユーザにより選択され、操作部１４からスクリーンショットの指示を取得すると（ステップＳ４）、画面取得部１２６は、主表示部１５に表示される画面を取り込んで画像データとしてキャプチャ画像保存用メモリ１２５に記憶する（ステップＳ５及びＳ６）。具体的には、画像表示用メモリ１２３に記憶されている、主表示部１５に表示中の画面を表す画像データを読み出して、キャプチャ画像保存用メモリ１２５に記憶させる。ステップＳ４乃至Ｓ６の処理は複数回実行されてもよい。
【００３７】
判断部１２２は、ステップＳ１の判断が肯定的であった場合（ステップＳ１；ＹＥＳ）、その後、電池残量監視部１２１から電池残量を示すデータを取得すると、電池残量が第２閾値以下であるか否かについて判断する（ステップＳ７）。この判断の結果、電池残量が第２閾値以下でない場合には（ステップＳ７；ＮＯ）、再度ステップＳ７を実行する。一方、この判断の結果、電池残量が第２閾値以下である場合には（ステップＳ７；ＹＥＳ）、判断部１２２は、電源オフ時表示画面の生成指示を画面生成部１２７に対して出力する（ステップＳ８）。
【００３８】
画面生成部１２７は、判断部１２２から電源オフ時表示画面の生成指示を取得すると、キャプチャ画像保存用メモリ１２５に記憶される画像データを読み出して（ステップＳ９）、この画像データに基づいて、副表示部１６に表示される１つの画面（電源オフ時表示画面）を表す画像データを生成する（ステップＳ１０）。この際、画面生成部１２７は、キャプチャ画像保存用メモリ１２５に複数の画像データが記憶されている場合には、それら複数の画像データにより表される複数の画面を１つの画面（電源オフ時表示画面）に整形して、当該画面を表す画像データを生成する。画面生成部１２７は、画像データを生成すると、当該画像データを画像表示用メモリ１２３に記憶させる（ステップＳ１１）。
【００３９】
表示制御部１２４は、画面生成部１２７により画像データが画像表示用メモリ１２３に記憶されると、当該画像データを読み出して（ステップＳ１２）、当該画像データにより表される電源オフ時表示画面を副表示部１６に表示させる（ステップＳ１３）。
以上が、電池１８の残量が低下した場合に実行される表示制御についての説明である。
【００４０】
以上説明した本実施形態に係る携帯端末１によれば、本端末のユーザは、電池１８が切れた後であっても予め取り込んでおいた主表示部１５の画面を副表示部１６において閲覧することができる。よって、例えば、主表示部１５に表示される地図を参照しながら目的地に向かって移動している最中に電池１８の残量が低下した場合であっても、主表示部１５に表示される地図を取り込んで副表示部１６に表示させれば、電池１８が切れた後も当該地図を参照することができる。
【００４１】
また、この携帯端末１によれば、主表示部１５に表示される複数の画面がキャプチャされた場合には、これら複数の画面が１つの画面に整形されて副表示部１６に表示されるため、ユーザは複数の画面を電池１８が切れた後も閲覧することができる。また、副表示部１６に表示される各画面には、画面の記憶日時とアプリケーション名とが併せて表示されるため、ユーザは各画面がどういった画面かを容易に知ることができる。
【００４２】
２．変形例
上記の実施形態は、以下のように変形してもよい。また、以下の変形例は互いに組み合わせてもよい。
【００４３】
２−１．変形例１
主表示部１５と副表示部１６の配置関係は、上述の図１に示される例に限られない。例えば、主表示部１５と副表示部１６とは、筺体１１の正面に並べて配置されてもよい。または、筺体１１の正面に配置された副表示部１６の上に重ねて主表示部１５が配置されてもよい。または、筺体１１の構造として折り畳み式を採用した場合には、折り畳んだ状態で内側になる２つの面のそれぞれに主表示部１５、副表示部１６を配置するようにしてもよい。
【００４４】
２−２．変形例２
上記の実施形態において、副表示部１６として、電子ペーパに代えてメモリ液晶ディスプレイが採用されてもよい。メモリ液晶ディスプレイは液晶ディスプレイや有機ＥＬディスプレイと比較して画面の表示時の消費電力が少ないため、本変形例を採用した場合にも、電池残量の低下時に、予め取り込んでおいた画面の閲覧可能時間を引き延ばすことができるという効果が得られる。なお、メモリ液晶ディスプレイはあくまで低消費電力ディスプレイの一例であって、液晶ディスプレイや有機ＥＬディスプレイと比較して画面の表示時の消費電力が少なければ他のディスプレイが代わりに採用されてもよい。また、本変形例が採用される場合には、上記の実施形態における第２閾値は、メモリ液晶ディスプレイにユーザにとって必要な時間だけ電源オフ時表示画面が表示されるように設定されてもよい。また、本変形例が採用される場合には、副表示部１６に電源オフ時表示画面が表示された後は、副表示部１６以外の各部（例えば、操作部１４や通信部１７）に供給される電力を抑制するようにしてもよい。
【００４５】
２−３．変形例３
上記の実施形態において、主表示部１５として、液晶ディスプレイや有機ＥＬディスプレイに代えて電子ペーパを採用し、副表示部１６を省略するようにしてもよい。そして、上記の実施形態に係る表示制御（図４参照）において、表示制御部１２４は、電源オフ時表示画面を主表示部１５に表示させてもよい（ステップＳ１３参照）。本変形例を採用した場合、携帯端末１のユーザは、不意に電池１８が切れてしまい画面の書き換えが不可能となった状況においても、最後に表示されていた画面ではなく、予め取り込んでおいた画面を閲覧することができる。
【００４６】
２−４．変形例４
上記の実施形態においては警告メッセージの表示後に、主表示部１５に表示される画面のキャプチャが可能となっているが（図４のステップＳ３参照）、画面キャプチャが可能となるタイミングは警告メッセージの表示後に限られない。例えば、画面をキャプチャするためのキャプチャボタンは常時主表示部１５に表示させておき、常時画面をキャプチャ可能としておいてもよい。
【００４７】
また、上記の実施形態では、ユーザによってキャプチャボタンが選択されたことを契機として、主表示部１５に表示される画面がキャプチャされているが、画面のキャプチャは自動的に実行されてもよい。例えば、上記の実施形態に係る表示制御（図４参照）において、判断部１２２により電池残量が第１閾値以下であると判断されたことを契機として（ステップＳ１；ＹＥＳ）、画面取得部１２６が、主表示部１５に表示される画面を自動的に取り込んで画像データとしてキャプチャ画像保存用メモリ１２５に記憶するようにしてもよい。
【００４８】
あるいは、判断部１２２による当該肯定的な判断の後に、ユーザにより主表示部１５に表示される画面が切り替えられる度に、画面取得部１２６が、主表示部１５に表示される画面を自動的に取り込んで画像データとしてキャプチャ画像保存用メモリ１２５に記憶するようにしてもよい。この場合、電源オフ時表示画面の表示後に、当該画面に表示される複数の画面のうちのいずれかの画面の選択をユーザより受け付けて、選択された１以上の画面のみを副表示部１６の表示面全体に表示させるようにしてもよい。これは、画面キャプチャが自動的に実行される場合、ユーザがその表示を望まない画面がキャプチャされる可能性があるからである。
【００４９】
２−５．変形例５
上記の実施形態に係る表示制御（図４参照）では、判断部１２２により電池残量が第２閾値以下であると判断されたことを契機として、画面生成部１２７により電源オフ時表示画面が生成されているが（ステップＳ１０参照）、電源オフ時表示画面は、キャプチャ画像保存用メモリ１２５に所定数の画像データが記憶される度に生成されて、画像表示用メモリ１２３に記憶されるようにしてもよい。なお、画像表示用メモリ１２３に記憶される電源オフ時表示画面は、画面生成部１２７により新たな電源オフ時表示画面が生成される度に更新されてよい。
【００５０】
２−６．変形例６
上記の実施形態に係る表示制御（図４参照）では、キャプチャ画像保存用メモリ１２５に複数の画像データが記憶されている場合には、それら複数の画像データにより表される複数の画面が整形されて１つの画面（電源オフ時表示画面）を表す画像データが生成されているが（ステップＳ１０参照）、当該画面を生成するために参照される１以上の画像データは、キャプチャ画像保存用メモリ１２５に記憶される複数の画像データの中から選択されてもよい。例えば当該選択は、画像データの記憶日時に基づいてなされてもよい。具体的には、記憶日時が比較的新しい１以上の画像データが選択されてもよい。または、当該選択は、画像データに対応するアプリケーションの種類に基づいてなされてもよい。具体的には、所定の種類のアプリケーションに対応する１以上の画像データが選択されてもよい。または、当該選択は、画像データに対応するアプリケーションの実行時間（特に、判断部１２２によりステップＳ１において肯定的な判断がなされてからステップＳ７において肯定的な判断がなされるまでの間の期間の実行時間）の長さに基づいてなされてもよい。具体的には、実行時間が比較的長い１以上の画像データが選択されてもよい。
【００５１】
２−７．変形例７
上述した図３に示される電源オフ時表示画面では、複数の画面に対して均等に表示領域が割り当てられているが、各画面に割り当てられる表示領域のサイズは異なっていてもよい。例えば、図５に示される例のように、画面２乃至４に対しては互いに均等なサイズの表示領域を割り当てる一方で、画面１に対しては画面２乃至４と比較して大きいサイズの表示領域を割り当てるようにしてもよい。この際、各画面に割り当てられる表示領域のサイズ及び位置は、例えば、画面を表す画像データの記憶日時に基づいて決定されてもよい。具体的には、画像データの記憶日時が比較的新しい画面ほど表示領域のサイズを大きくし、表示領域の位置を優先度の高い位置に設定するようにしてもよい。または、各画面に割り当てられる表示領域のサイズ及び位置は、画面を表す画像データに対応するアプリケーションの種類に基づいて決定されてもよい。具体的には、画像データに対応するアプリケーションの重要度が比較的高い画面ほど表示領域のサイズを大きくし、表示領域の位置を優先度の高い位置に設定するようにしてもよい。または、各画面に割り当てられる表示領域のサイズ及び位置は、画面を表す画像データに対応するアプリケーションの実行時間（特に、判断部１２２によりステップＳ１において肯定的な判断がなされてからステップＳ７において肯定的な判断がなされるまでの間の期間の実行時間）の長さに基づいて決定されてもよい。具体的には、実行時間が比較的長い画面ほど表示領域のサイズを大きくし、表示領域の位置を優先度の高い位置に設定するようにしてもよい。
【００５２】
２−８．変形例８
上記の実施形態では、電源オフ時表示画面において属性情報として、画像データの記憶日時と、画像データに対応するアプリケーション名とが表示されているが、必ずしも表示される必要はなく、また、表示されるにしても必ずしも全ての情報が表示される必要はない。また、これらの情報に加えて又は代えて、携帯端末１の位置と、電池１８の残量のうちの少なくともいずれか１つの情報が属性情報として表示されてもよい。ここで、携帯端末１の位置情報は、例えば図示せぬＧＰＳ受信機により受信された電波に基づいて取得されてもよい。
【００５３】
２−９．変形例９
上記の実施形態において携帯端末１において実行されるプログラムは、コンピュータ装置が読み取り可能な記録媒体を介して提供されてもよい。ここで、記録媒体とは、例えば、磁気テープや磁気ディスクなどの磁気記録媒体や、光ディスクなどの光記録媒体や、光磁気記録媒体や、半導体メモリ等である。また、当該プログラムは、インターネット等のネットワークを介して配信されてもよい。
【符号の説明】
【００５４】
１…携帯端末、１１…筺体、１２…制御部、１３…記憶部、１４…操作部、１５…主表示部、１６…副表示部、１７…通信部、１８…電池、１２１…電池残量監視部、１２２…判断部、１２３…画像表示用メモリ、１２４…表示制御部、１２５…キャプチャ画像保存用メモリ、１２６…画面取得部、１２７…画面生成部
【図１】
2016158019.tif 000003
【図２】
2016158019.tif 000004
【図３】
2016158019.tif 000005
【図４】
2016158019.tif 000006
【図５】
2016158019.tif 000007